【手続補正書】
【提出日】令和3年8月27日(2021.8.27)
【手続補正１】
【補正対象書類名】特許請求の範囲
【補正対象項目名】請求項１
【補正方法】変更
【補正の内容】
【請求項１】
車両（Ａ）において用いられ、ヘッドアップディスプレイ（２０）による表示を制御する表示制御装置であって、
前記車両を運転するドライバへの経路案内が実施される場合に、前記車両の経路情報を取得する経路情報取得部（７３）と、
前記経路情報に基づき前景中での車線変更軌跡（ＰＬＣ）の形状を示す取得経路コンテンツ（ＣＴｒ）を路面に重畳表示させ、前景中の前記車線変更軌跡に対してずれた位置に、車線変更の実施を前記ドライバに促すための経路案内を行う経路案内コンテンツ（ＣＴｇ）を重畳表示させる表示制御部（７６）と、
を備える表示制御装置。
【手続補正２】
【補正対象書類名】特許請求の範囲
【補正対象項目名】請求項８
【補正方法】変更
【補正の内容】
【請求項８】
車両（Ａ）において用いられ、ヘッドアップディスプレイ（２０）による表示を制御する表示制御装置であって、
前記車両の位置情報を取得する位置情報取得部（７２，７４）と、
前記車両を運転するドライバへの経路案内を行う案内エリア（ＧＡ）での前記車両の経路情報を取得する経路情報取得部（７３）と、
複数レーンを含む道路の前記案内エリアにて経路案内を行う場合に、前記位置情報の示す自車レーン（Ｌｎｓ）の位置に応じて、車線変更の実施を前記ドライバに促す経路案内に用いる経路案内コンテンツ（ＣＴｇ）の表示制御を変更する表示制御部（７６）と、
を備える表示制御装置。
【手続補正３】
【補正対象書類名】特許請求の範囲
【補正対象項目名】請求項１５
【補正方法】変更
【補正の内容】
【請求項１５】
車両（Ａ）において用いられ、ヘッドアップディスプレイ（２０）による表示を制御する表示制御装置であって、
前記車両の位置情報を取得する位置情報取得部（７２，７４）と、
前記車両を運転するドライバへの経路案内を行う案内エリア（ＧＡ）での前記車両の経路情報を取得する経路情報取得部（７３）と、
路面に重畳表示させる経路案内コンテンツ（ＣＴｇ）を用いて前記案内エリアでの経路案内を行い、前記位置情報に基づき、前記車両が前記案内エリアに近づくにつれて、車線変更の実施を前記ドライバに促す前記経路案内コンテンツをトーンアップ又はトーンダウンさせる表示制御部（７６）と、
を備える表示制御装置。
【手続補正４】
【補正対象書類名】特許請求の範囲
【補正対象項目名】請求項１７
【補正方法】変更
【補正の内容】
【請求項１７】
画面表示を用いて経路案内を行う案内装置（５５）を搭載する車両（Ａ）において用いられ、ヘッドアップディスプレイ（２０）による表示を制御する表示制御装置であって、
前記車両を運転するドライバへの経路案内を行う案内エリア（ＧＡ）での前記車両の経路情報を取得する経路情報取得部（７３）と、
前記車両の位置情報を取得する位置情報取得部（７２）と、
前景に重畳表示させる経路案内コンテンツ（ＣＴｇ）を用いて、前記案内エリアでの経路案内を行う表示制御部（７６）と、を備え、
前記表示制御部は、前記車両が経路案内に従うことなく前記案内エリアを通過する場合、前記案内装置が前記画面表示による前記案内エリアについての経路案内を終了させる以前に、前記経路案内コンテンツを用いた前記案内エリアについての経路案内を終了させる表示制御装置。
【手続補正５】
【補正対象書類名】特許請求の範囲
【補正対象項目名】請求項１８
【補正方法】変更
【補正の内容】
【請求項１８】
車両（Ａ）において用いられ、ヘッドアップディスプレイ（２０）による表示を制御する表示制御装置であって、
前記車両を運転するドライバへの経路案内を行う案内エリア（ＧＡ）での前記車両の経路情報を取得する経路情報取得部（７３）と、
前記経路情報に基づく経路案内コンテンツ（ＣＴｇ）を路面に重畳表示させる表示制御部（７６）と、を備え、
前記表示制御部は、前記案内エリアとしての第一分岐ポイント（ＰＪ１）の後に別の第二分岐ポイント（ＰＪ２）が連続している場合、前記第一分岐ポイントでの経路案内において、前記第二分岐ポイントでの経路案内を考慮した形態の車線変更軌跡（ＰＬＣ）をなぞるような形状の前記経路案内コンテンツを、前景中の路面に重畳表示させる表示制御装置。
【手続補正６】
【補正対象書類名】特許請求の範囲
【補正対象項目名】請求項２１
【補正方法】変更
【補正の内容】
【請求項２１】
車両（Ａ）において用いられ、ヘッドアップディスプレイ（２０）による表示を制御する表示制御プログラムであって、
少なくとも一つの処理部（１１）に、
前記車両を運転するドライバへの経路案内が実施される場合に、前記車両の経路情報を取得し（Ｓ１０１）、
前記経路情報に基づき前景中での車線変更軌跡（ＰＬＣ）の形状を示す取得経路コンテンツ（ＣＴｒ）を路面に重畳表示させ（Ｓ１０６）、
前景中の前記車線変更軌跡に対してずれた位置に、車線変更の実施を前記ドライバに促すための経路案内を行う経路案内コンテンツ（ＣＴｇ）を重畳表示させる（Ｓ１０８）、
ことを含む処理を実施させる表示制御プログラム。
【手続補正７】
【補正対象書類名】特許請求の範囲
【補正対象項目名】請求項２２
【補正方法】変更
【補正の内容】
【請求項２２】
車両（Ａ）において用いられ、ヘッドアップディスプレイ（２０）による表示を制御する表示制御プログラムであって、
少なくとも一つの処理部（１１）に、
前記車両を運転するドライバへの経路案内を行う案内エリア（ＧＡ）での前記車両の経路情報を取得し（Ｓ３０１）、
前記車両の位置情報を取得し（Ｓ３０４）、
複数レーンを含む道路の前記案内エリアにて経路案内を行う場合に、前記位置情報の示す自車レーン（Ｌｎｓ）の位置に応じて、車線変更の実施を前記ドライバに促す経路案内に用いる経路案内コンテンツ（ＣＴｇ）の表示制御を変更する（Ｓ３０５，Ｓ３１０〜Ｓ３１２）、
ことを含む処理を実施させる表示制御プログラム。
【手続補正８】
【補正対象書類名】特許請求の範囲
【補正対象項目名】請求項２３
【補正方法】変更
【補正の内容】
【請求項２３】
車両（Ａ）において用いられ、ヘッドアップディスプレイ（２０）による表示を制御する表示制御プログラムであって、
少なくとも一つの処理部（１１）に、
前記車両を運転するドライバへの経路案内を行う案内エリア（ＧＡ）での前記車両の経路情報を取得し（Ｓ６０１）、
路面に重畳表示させる経路案内コンテンツ（ＣＴｇ）を用いて前記案内エリアでの経路案内を行い（Ｓ６０６，Ｓ６０９）、
前記車両の位置情報を取得し（Ｓ６０３，Ｓ６０７，Ｓ６１０）、
前記位置情報に基づき、前記車両が前記案内エリアに近づくにつれて、車線変更の実施を前記ドライバに促す前記経路案内コンテンツをトーンアップ又はトーンダウンさせる（Ｓ６０８，Ｓ６１１）、
ことを含む処理を実施させる表示制御プログラム。
【手続補正９】
【補正対象書類名】特許請求の範囲
【補正対象項目名】請求項２４
【補正方法】変更
【補正の内容】
【請求項２４】
画面表示を用いて経路案内を行う案内装置（５５）を搭載する車両（Ａ）において用いられ、ヘッドアップディスプレイ（２０）による表示を制御する表示制御プログラムであって、
少なくとも一つの処理部（１１）に、
前記車両を運転するドライバへの経路案内を行う案内エリア（ＧＡ）での前記車両の経路情報を取得し（Ｓ１０１）、
前景に重畳表示させる経路案内コンテンツ（ＣＴｇ）を用いて、前記案内エリアでの経路案内を行い（Ｓ１０８）、
前記車両の位置情報を取得し（Ｓ１１０）、
前記車両が経路案内に従うことなく前記案内エリアを通過する場合、前記案内装置が前記画面表示による前記案内エリアについての経路案内を終了させる以前に、前記経路案内コンテンツを用いた前記案内エリアについての経路案内を終了させる（Ｓ１１１）、
ことを含む処理を実施させる表示制御プログラム。
【手続補正１０】
【補正対象書類名】特許請求の範囲
【補正対象項目名】請求項２５
【補正方法】変更
【補正の内容】
【請求項２５】
車両（Ａ）において用いられ、ヘッドアップディスプレイ（２０）による表示を制御する表示制御プログラムであって、
少なくとも一つの処理部（１１）に、
前記車両を運転するドライバへの経路案内を行う案内エリア（ＧＡ）での前記車両の経路情報を取得し、
前記経路情報に基づく経路案内コンテンツ（ＣＴｇ）を路面に重畳表示させ、
前記案内エリアとしての第一分岐ポイント（ＰＪ１）の後に別の第二分岐ポイント（ＰＪ２）が連続している場合、前記第一分岐ポイントでの経路案内において、前記第二分岐ポイントでの経路案内を考慮した形態の車線変更軌跡（ＰＬＣ）をなぞるような形状の前記経路案内コンテンツを、前景中の路面に重畳表示させる、
ことを含む処理を実施させる表示制御プログラム。
【手続補正１１】
【補正対象書類名】明細書
【補正対象項目名】０００６
【補正方法】変更
【補正の内容】
【０００６】
上記目的を達成するため、開示された一つの態様は、車両（Ａ）において用いられ、ヘッドアップディスプレイ（２０）による表示を制御する表示制御装置であって、車両を運転するドライバへの経路案内が実施される場合に、車両の経路情報を取得する経路情報取得部（７３）と、経路情報に基づき前景中での車線変更軌跡（ＰＬＣ）の形状を示す取得経路コンテンツ（ＣＴｒ）を路面に重畳表示させ、前景中の車線変更軌跡に対してずれた位置に、車線変更の実施をドライバに促すための経路案内を行う経路案内コンテンツ（ＣＴｇ）を重畳表示させる表示制御部（７６）と、を備える表示制御装置とされる。
【手続補正１２】
【補正対象書類名】明細書
【補正対象項目名】０００７
【補正方法】変更
【補正の内容】
【０００７】
また開示された一つの態様は、車両（Ａ）において用いられ、ヘッドアップディスプレイ（２０）による表示を制御する表示制御プログラムであって、少なくとも一つの処理部（１１）に、車両を運転するドライバへの経路案内が実施される場合に、車両の経路情報を取得し（Ｓ１０１）、経路情報に基づき前景中での車線変更軌跡（ＰＬＣ）の形状を示す取得経路コンテンツ（ＣＴｒ）を路面に重畳表示させ（Ｓ１０６）、前景中の車線変更軌跡に対してずれた位置に、車線変更の実施をドライバに促すための経路案内を行う経路案内コンテンツ（ＣＴｇ）を重畳表示させる（Ｓ１０８）、ことを含む処理を実施させる表示制御プログラムとされる。
【手続補正１３】
【補正対象書類名】明細書
【補正対象項目名】０００９
【補正方法】変更
【補正の内容】
【０００９】
また開示された一つの態様は、車両（Ａ）において用いられ、ヘッドアップディスプレイ（２０）による表示を制御する表示制御装置であって、車両の位置情報を取得する位置情報取得部（７２，７４）と、車両を運転するドライバへの経路案内を行う案内エリア（ＧＡ）での車両の経路情報を取得する経路情報取得部（７３）と、複数レーンを含む道路の案内エリアにて経路案内を行う場合に、位置情報の示す自車レーン（Ｌｎｓ）の位置に応じて、車線変更の実施をドライバに促す経路案内に用いる経路案内コンテンツ（ＣＴｇ）の表示制御を変更する表示制御部（７６）と、を備える表示制御装置とされる。
【手続補正１４】
【補正対象書類名】明細書
【補正対象項目名】００１０
【補正方法】変更
【補正の内容】
【００１０】
また開示された一つの態様は、車両（Ａ）において用いられ、ヘッドアップディスプレイ（２０）による表示を制御する表示制御プログラムであって、少なくとも一つの処理部（１１）に、車両を運転するドライバへの経路案内を行う案内エリア（ＧＡ）での車両の経路情報を取得し（Ｓ３０１）、車両の位置情報を取得し（Ｓ３０４）、複数レーンを含む道路の案内エリアにて経路案内を行う場合に、位置情報の示す自車レーン（Ｌｎｓ）の位置に応じて、車線変更の実施をドライバに促す経路案内に用いる経路案内コンテンツ（ＣＴｇ）の表示制御を変更する（Ｓ３０５，Ｓ３１０〜Ｓ３１２）、ことを含む処理を実施させる表示制御プログラムとされる。
【手続補正１５】
【補正対象書類名】明細書
【補正対象項目名】００１２
【補正方法】変更
【補正の内容】
【００１２】
また開示された一つの態様は、車両（Ａ）において用いられ、ヘッドアップディスプレイ（２０）による表示を制御する表示制御装置であって、車両の位置情報を取得する位置情報取得部（７２，７４）と、車両を運転するドライバへの経路案内を行う案内エリア（ＧＡ）での車両の経路情報を取得する経路情報取得部（７３）と、路面に重畳表示させる経路案内コンテンツ（ＣＴｇ）を用いて案内エリアでの経路案内を行い、位置情報に基づき、車両が案内エリアに近づくにつれて、車線変更の実施をドライバに促す経路案内コンテンツをトーンアップ又はトーンダウンさせる表示制御部（７６）と、を備える表示制御装置とされる。
【手続補正１６】
【補正対象書類名】明細書
【補正対象項目名】００１３
【補正方法】変更
【補正の内容】
【００１３】
また開示された一つの態様は、車両（Ａ）において用いられ、ヘッドアップディスプレイ（２０）による表示を制御する表示制御プログラムであって、少なくとも一つの処理部（１１）に、車両を運転するドライバへの経路案内を行う案内エリア（ＧＡ）での車両の経路情報を取得し（Ｓ６０１）、路面に重畳表示させる経路案内コンテンツ（ＣＴｇ）を用いて案内エリアでの経路案内を行い（Ｓ６０６，Ｓ６０９）、車両の位置情報を取得し（Ｓ６０３，Ｓ６０７，Ｓ６１０）、位置情報に基づき、車両が案内エリアに近づくにつれて、車線変更の実施をドライバに促す経路案内コンテンツをトーンアップ又はトーンダウンさせる（Ｓ６０８，Ｓ６１１）、ことを含む処理を実施させる表示制御プログラムとされる。
【手続補正１７】
【補正対象書類名】明細書
【補正対象項目名】００１５
【補正方法】変更
【補正の内容】
【００１５】
また開示された一つの態様は、画面表示を用いて経路案内を行う案内装置（５５）を搭載する車両（Ａ）において用いられ、ヘッドアップディスプレイ（２０）による表示を制御する表示制御装置であって、車両を運転するドライバへの経路案内を行う案内エリア（ＧＡ）での車両の経路情報を取得する経路情報取得部（７３）と、車両の位置情報を取得する位置情報取得部（７２）と、前景に重畳表示させる経路案内コンテンツ（ＣＴｇ）を用いて、案内エリアでの経路案内を行う表示制御部（７６）と、を備え、表示制御部は、車両が経路案内に従うことなく案内エリアを通過する場合、案内装置が画面表示による案内エリアについての経路案内を終了させる以前に、経路案内コンテンツを用いた案内エリアについての経路案内を終了させる表示制御装置とされる。
【手続補正１８】
【補正対象書類名】明細書
【補正対象項目名】００１６
【補正方法】変更
【補正の内容】
【００１６】
また開示された一つの態様は、画面表示を用いて経路案内を行う案内装置（５５）を搭載する車両（Ａ）において用いられ、ヘッドアップディスプレイ（２０）による表示を制御する表示制御プログラムであって、少なくとも一つの処理部（１１）に、車両を運転するドライバへの経路案内を行う案内エリア（ＧＡ）での車両の経路情報を取得し（Ｓ１０１）、前景に重畳表示させる経路案内コンテンツ（ＣＴｇ）を用いて、案内エリアでの経路案内を行い（Ｓ１０８）、車両の位置情報を取得し（Ｓ１１０）、車両が経路案内に従うことなく案内エリアを通過する場合、案内装置が画面表示による案内エリアについての経路案内を終了させる以前に、経路案内コンテンツを用いた案内エリアについての経路案内を終了させる（Ｓ１１１）、ことを含む処理を実施させる表示制御プログラムとされる。
【手続補正１９】
【補正対象書類名】明細書
【補正対象項目名】００１８
【補正方法】変更
【補正の内容】
【００１８】
また開示された一つの態様は、車両（Ａ）において用いられ、ヘッドアップディスプレイ（２０）による表示を制御する表示制御装置であって、車両を運転するドライバへの経路案内を行う案内エリア（ＧＡ）での車両の経路情報を取得する経路情報取得部（７３）と、経路情報に基づく経路案内コンテンツ（ＣＴｇ）を路面に重畳表示させる表示制御部（７６）と、を備え、表示制御部は、案内エリアとしての第一分岐ポイント（ＰＪ１）の後に別の第二分岐ポイント（ＰＪ２）が連続している場合、第一分岐ポイントでの経路案内において、第二分岐ポイントでの経路案内を考慮した形態の車線変更軌跡（ＰＬＣ）をなぞるような形状の経路案内コンテンツを、前景中の路面に重畳表示させる表示制御装置とされる。
【手続補正２０】
【補正対象書類名】明細書
【補正対象項目名】００１９
【補正方法】変更
【補正の内容】
【００１９】
また開示された一つの態様は、車両（Ａ）において用いられ、ヘッドアップディスプレイ（２０）による表示を制御する表示制御プログラムであって、少なくとも一つの処理部（１１）に、車両を運転するドライバへの経路案内を行う案内エリア（ＧＡ）での車両の経路情報を取得し、経路情報に基づく経路案内コンテンツ（ＣＴｇ）を路面に重畳表示させ、案内エリアとしての第一分岐ポイント（ＰＪ１）の後に別の第二分岐ポイント（ＰＪ２）が連続している場合、第一分岐ポイントでの経路案内において、第二分岐ポイントでの経路案内を考慮した形態の車線変更軌跡（ＰＬＣ）をなぞるような形状の経路案内コンテンツを、前景中の路面に重畳表示させる、ことを含む処理を実施させる表示制御プログラムとされる。